(57)【特許請求の範囲】
【請求項１】
電子マネーの残高情報を格納する通常カードと、
前記通常カードの残高情報を記憶するサーバ装置と、
前記通常カードの代わりに利用者に貸し出される一時貸出カードと、
前記一時貸出カードを発行する貸出装置と、を備える決済システムであって、
前記サーバ装置は、前記利用者から前記一時貸出カードの利用申請がある場合、前記利用者の前記通常カードの前記残高情報を前記貸出装置に提供し、
前記貸出装置は、前記残高情報を前記一時貸出カードに書き込み発行する、ことを特徴とする決済システム。
【請求項２】
前記決済システムは、決済処理を受け付ける購買装置をさらに備え、
前記サーバ装置は、前記利用者から前記一時貸出カードの利用申請がある場合、前記利用者の前記通常カードのカードＩＤ及び前記残高情報を前記貸出装置に提供し、
前記貸出装置は、前記通常カードの前記カードＩＤを前記購買装置に登録し、
前記購買装置は、カードによる決済がある場合、
前記カードのカードＩＤの登録の有無を判断し、前記カードの前記カードＩＤが登録されていない場合、前記カードは一時貸出カードであるとして、前記カードから残高を読み出し決済処理を行い、前記決済処理の履歴情報を前記サーバ装置に送信する、ことを特徴とする請求項１に記載の決済システム。
【請求項３】
前記貸出装置は、前記利用者から前記一時貸出カードの返却申請がある場合、前記サーバ装置から前記利用者の前記通常カードの残高情報を取得し、前記購買装置に登録された前記通常カードの前記カードＩＤに対応する前記残高情報を更新し、
前記購買装置は、通常カードによる決済がある場合、
前記通常カードの前記カードＩＤに対応する残高情報を用いて決済処理を行い、その後、決済処理後の残高情報を前記通常カードに書き込む、ことを特徴とする請求項２に記載の決済システム。
【請求項４】
電子マネーの残高情報を格納する通常カードと、
前記通常カードの残高情報を記憶するサーバ装置と、
前記通常カードの代わりに利用者に貸し出される一時貸出カードと、
前記一時貸出カードを発行する貸出装置と、を備える決済システムによる決済方法であって、
前記サーバ装置による処理手順は、前記利用者から前記一時貸出カードの利用申請がある場合、前記利用者の前記通常カードの前記残高情報を前記貸出装置に提供するステップを含み、
前記貸出装置による処理手順は、前記残高情報を前記一時貸出カードに書き込み発行するステップを含む、ことを特徴とする決済方法。
【請求項５】
前記決済システムは、決済処理を受け付ける購買装置をさらに備え、
前記サーバ装置による処理手順は、前記利用者から前記一時貸出カードの利用申請がある場合、前記利用者の前記通常カードのカードＩＤ及び前記残高情報を前記貸出装置に提供するステップを含み、
前記貸出装置による処理手順は、前記通常カードの前記カードＩＤを前記購買装置に登録するステップを含み、
前記購買装置による処理手順は、カードによる決済がある場合、
前記カードのカードＩＤの登録の有無を判断するステップと、前記カードの前記カードＩＤが登録されていない場合、前記カードは一時貸出カードであるとして、前記カードから残高を読み出し決済処理を行うステップと、前記決済処理の履歴情報を前記サーバ装置に送信するステップと、を含むことを特徴とする請求項４に記載の決済方法。
【請求項６】
前記貸出装置による処理手順は、前記利用者から前記一時貸出カードの返却申請がある場合、前記サーバ装置から前記利用者の前記通常カードの残高情報を取得するステップと、前記購買装置に登録された前記通常カードの前記カードＩＤに対応する前記残高情報を更新するステップとを有し、
前記購買装置による処理手順は、通常カードによる決済がある場合、
前記通常カードの前記カードＩＤに対応する残高情報を用いて決済処理を行うステップと、その後、決済処理後の残高情報を前記通常カードに書き込むステップとを有する、ことを特徴とする請求項５に記載の決済方法。
【発明の詳細な説明】
【技術分野】
【０００１】
この発明は、決済システム及び決済方法に関し、特に、一時貸出カードによる決済を行う決済システム及び決済方法に関する。
【背景技術】
【０００２】
社員証や学生証などとしてＩＣカードが使用されている場面において、従来の一時貸出カードは、本来のＩＣカードシステムと独立して運用されていたため、一時貸出カードと借りた人との情報が紐づけられず、カードを忘れた人はカードを使用しての行動範囲が制限されていた。これに対して、一時貸出カードを貸し出す際に、一時貸出カードのカードＩＤを本人ＩＤ(ポータルＩＤ)に紐づけてＬＤＡＰサーバに格納し、利用時にＬＤＡＰサーバに問い合わせ、一時貸出カードのカードＩＤを本人ＩＤに変換するという技術が考案されている（例えば、特許文献１参照）。
【先行技術文献】
【特許文献】
【０００３】
【特許文献１】特開２００８−９７２０７号公報
【発明の概要】
【発明が解決しようとする課題】
【０００４】
一時貸出カードのカードＩＤを本人ＩＤに紐づけてＬＤＡＰサーバに格納するという特許文献１記載の技術では、電子マネーシステムでの利用について言及がされていない。一時貸出カードには電子マネーシステムでの利用者の残高の情報が書き込まれないため、一時貸出カードを用いて電子マネーシステムを実現しようとすると、決済の度に、ＬＤＡＰサーバに接続して一時貸出カードのカードＩＤと本人ＩＤとを変換したり、残高情報を参照したりする必要があるため、一時貸出カードを用いたスムーズな決済が困難であるという問題があった。
【０００５】
上記課題を鑑みた本発明の目的は、決済の度にサーバから残高を取得することなく、一時貸出カードを用いた決済処理を即時に実行可能な決済システム及び決済方法を提供することである。
【課題を解決するための手段】
【０００６】
本発明に係る決済システムは、電子マネーの残高情報を格納する通常カードと、前記通常カードの残高情報を記憶するサーバ装置と、前記通常カードの代わりに利用者に貸し出される一時貸出カードと、前記一時貸出カードを発行する貸出装置と、を備える決済システムであって、前記サーバ装置は、前記利用者から前記一時貸出カードの利用申請がある場合、前記利用者の前記通常カードの前記残高情報を前記貸出装置に提供し、前記貸出装置は、前記残高情報を前記一時貸出カードに書き込み発行することを特徴とする。
【０００７】
また、本発明に係る決済システムは、前記決済システムは、決済処理を受け付ける購買装置をさらに備え、前記サーバ装置は、前記利用者から前記一時貸出カードの利用申請がある場合、前記利用者の前記通常カードのカードＩＤ及び前記残高情報を前記貸出装置に提供し、前記貸出装置は、前記通常カードの前記カードＩＤを前記購買装置に登録し、前記購買装置は、カードによる決済がある場合、前記カードのカードＩＤの登録の有無を判断し、前記カードの前記カードＩＤが登録されていない場合、前記カードは一時貸出カードであるとして、前記カードから残高を読み出し決済処理を行い、前記決済処理の履歴情報を前記サーバ装置に送信することが好ましい。
【０００８】
また、本発明に係る決済システムは、前記貸出装置は、前記利用者から前記一時貸出カードの返却申請がある場合、前記サーバ装置から前記利用者の前記通常カードの残高情報を取得し、前記購買装置に登録された前記通常カードの前記カードＩＤに対応する前記残高情報を更新し、前記購買装置は、通常カードによる決済がある場合、前記通常カードの前記カードＩＤに対応する残高情報を用いて決済処理を行い、その後、決済処理後の残高情報を前記通常カードに書き込むことが好ましい。
【０００９】
本発明に係る決済方法は、電子マネーの残高情報を格納する通常カードと、前記通常カードの残高情報を記憶するサーバ装置と、前記通常カードの代わりに利用者に貸し出される一時貸出カードと、前記一時貸出カードを発行する貸出装置と、を備える決済システムによる決済方法であって、前記サーバ装置による処理手順は、前記利用者から前記一時貸出カードの利用申請がある場合、前記利用者の前記通常カードの前記残高情報を前記貸出装置に提供するステップを含み、前記貸出装置による処理手順は、前記残高情報を前記一時貸出カードに書き込み発行するステップを含むことを特徴とする。
【００１０】
また、本発明に係る決済方法は、前記決済システムは、決済処理を受け付ける購買装置をさらに備え、前記サーバ装置による処理手順は、前記利用者から前記一時貸出カードの利用申請がある場合、前記利用者の前記通常カードのカードＩＤ及び前記残高情報を前記貸出装置に提供するステップを含み、前記貸出装置による処理手順は、前記通常カードの前記カードＩＤを前記購買装置に登録するステップを含み、前記購買装置による処理手順は、カードによる決済がある場合、前記カードのカードＩＤの登録の有無を判断するステップと、前記カードの前記カードＩＤが登録されていない場合、前記カードは一時貸出カードであるとして、前記カードから残高を読み出し決済処理を行うステップと、前記決済処理の履歴情報を前記サーバ装置に送信するステップと、を含むことが好ましい。
【００１１】
また、本発明に係る決済方法は、前記貸出装置による処理手順は、前記利用者から前記一時貸出カードの返却申請がある場合、前記サーバ装置から前記利用者の前記通常カードの残高情報を取得するステップと、前記購買装置に登録された前記通常カードの前記カードＩＤに対応する前記残高情報を更新するステップとを有し、前記購買装置による処理手順は、通常カードによる決済がある場合、前記通常カードの前記カードＩＤに対応する残高情報を用いて決済処理を行うステップと、その後、決済処理後の残高情報を前記通常カードに書き込むステップとを有することが好ましい。
【発明の効果】
【００１２】
本発明に係る決済システム及び決済方法によれば、決済の度にサーバから残高を取得することなく、一時貸出カードを用いた決済処理を即時に実行することができる。
【図面の簡単な説明】
【００１３】
【図１】本発明の一実施形態に係る決済システムの概略構成を示す図である。
【図２】一時貸出カードが格納する情報の一例を示す図である。
【図３】通常カードが格納する情報の一例を示す図である。
【図４】通常カードテーブルの登録情報の一例を示す図である。
【図５】貸出カードテーブルの登録情報の一例を示す図である。
【図６】電子マネー使用履歴テーブルの登録情報の一例を示す図である。
【図７】貸出者ＩＤテーブルの登録情報の一例を示す図である。
【図８】決済システムの貸出処理の処理シーケンスである。
【図９】決済システムの決済処理の処理シーケンスである。
【図１０】決済システムの返却処理の処理シーケンスである。
【図１１】通常カードを利用した場合の決済システムの決済処理の処理シーケンスである。
【発明を実施するための形態】
【００１４】
以降、諸図面を参照しながら、本発明の実施態様を詳細に説明する。
【００１５】
図１は、本発明の一実施形態に係る決済システムの概略構成を示す図である。決済システム１は、サーバ装置１０と、購買装置２０と、貸出装置３０と、一時貸出カード４０と、通常カード５０とを備える。サーバ装置１０は、本人確認処理部１０１と、貸出履歴書込処理部１０２と、ＩＤ照合処理部１０３と、履歴書込処理部１０４と、残高計算・書込処理部１０５と、通常カードテーブル１１１と、貸出カードテーブル１１２と、電子マネー使用履歴テーブル１１３とを備える。購買装置２０は、残高読込・書込処理部２０１と、貸出者ＩＤテーブル照合処理部２０２と、決済処理部２０３と、履歴送信処理部２０４と、貸出者ＩＤテーブル２１１とを備える。なお、購買装置２０は、食堂や売店、自動販売機などに備えられ決済処理を受け付けるものであり、複数存在することを想定している。貸出装置３０は、一時貸出カード４０を発行するものであり、受付処理部３０１と、残高情報書込・発行処理部３０２とを備える。
【００１６】
図２は、一時貸出カード４０が格納する情報の一例を示す図である。一時貸出カード４０には、カードの識別子であるカードＩＤ、有効期限、電子マネーの残高が格納されている。なお、一時貸出カード４０とは、通常カード５０の代わりに利用者に一時的に貸し出されるカードである。
【００１７】
図３は、通常カード５０が格納する情報の一例を示す図である。通常カード５０には、カードの識別子であるカードＩＤ、電子マネーの残高が格納されている。
【００１８】
図４は、通常カードテーブル１１１の登録情報の一例を示す図である。サーバ装置１０が保持する通常カードテーブル１１１には、通常カード５０のカードＩＤ、本人ＩＤ、氏名、パスワード、残高が予め記憶されている。本人ＩＤとは、利用者を識別するための識別子である。
【００１９】
図５は、貸出カードテーブル１１２の登録情報の一例を示す図である。サーバ装置１０が保持する貸出カードテーブル１１２には、一時貸出カード４０のカードＩＤ、カード貸出日、カード返却日、本人ＩＤ、氏名、パスワードが登録される。一時貸出カード４０を貸し出した際に、カードＩＤ、カード貸出日、本人ＩＤ、氏名、パスワードが登録される。また、一時貸出カード４０が返却された際に、対応するカードＩＤの行にカード返却日が登録される。
【００２０】
図６は、電子マネー使用履歴テーブル１１３の登録情報の一例を示す図である。サーバ装置１０が保持する電子マネー使用履歴テーブル１１３は、使用年月日、使用時刻、本人ＩＤ、カードＩＤ、使用履歴、金額が登録される。使用履歴テーブル１１３におけるカードＩＤは、通常カード５０及び一時貸出カード４０双方のカードＩＤが登録され得るものである。即ち、通常カード５０及び一時貸出カード４０のいずれかに関わらず、カード使用時に、使用年月日、使用時刻、本人ＩＤ、カードＩＤ、使用履歴、金額が登録される。
【００２１】
図７は、貸出者ＩＤテーブル２１１の登録情報の一例を示す図である。購買装置２０が保持する貸出者ＩＤテーブル２１１には、カードＩＤ及び残高が登録される。貸出者ＩＤテーブル２１１におけるカードＩＤは、一時貸出カード４０を借りた利用者の通常カード５０のカードＩＤが記録される。また、詳細は後述するが、貸出者ＩＤテーブル２１１には、一時貸出カード４０貸出時には、カードＩＤの残高にnullが設定され（図７（ａ））、一時貸出カード４０返却時には、カードＩＤの残高には、一時貸出カード４０による決済を反映させた通常カード５０の残高が設定される（図７（ｂ））。一時貸出カード４０が返却された後、利用者が通常カード５０で決済システム１を利用した際に、利用者の通常カード５０のカードＩＤが貸出者ＩＤテーブル２１１から削除される。
【００２２】
以降、各構成要素の動作を決済に係る処理シーケンスとともに説明する。
【００２３】
（貸出フェーズ）
図８は、通常カード５０を忘れた利用者が、一時貸出カード４０の利用申請を行う際の決済システムの処理シーケンスである。貸出装置３０の受付処理部３０１は、サーバ装置１０の本人確認処理部１０１に、利用者により入力された、氏名、本人ＩＤ、パスワードを送信する（ステップＳ１０１）。本人確認処理部１０１は、通常カードテーブル１１１を参照し、受付処理部３０１から受信した氏名、本人ＩＤ、パスワードが、通常カードテーブル１１１に登録された氏名、本人ＩＤ、パスワードと一致するかを確認する（ステップＳ１０２）。本人確認処理部１０１は、パスワード等が一致した場合、通常カードテーブル１１１から、利用者の通常カード５０の残高及びカードＩＤをさらに取得し、氏名、本人ＩＤ、パスワード、残高、カードＩＤを、貸出装置３０の残高情報書込・発行処理部３０２に提供する（ステップＳ１０３）。
【００２４】
残高情報書込・発行処理部３０２は、受信した通常カード５０のカードＩＤを、残高nullとして全ての購買装置２０の貸出者ＩＤテーブル２１１に登録する（ステップＳ１０４）。残高情報書込・発行処理部３０２は、登録が正常に終了したら、一時貸出カード４０に、通常カード５０のカードＩＤとは異なるユニークなカードＩＤ、有効期限（例えば発行から２４時間）、通常カード５０の残高を書き込み、一時貸出カード４０を発行する（ステップＳ１０５）。残高情報書込・発行処理部３０２は、発行が正常に終了したら、一時貸出カード４０に書き込んだカードＩＤ、カード貸出日、本人ＩＤ、氏名、パスワードを、決済処理の履歴情報として、サーバ装置１０の貸出履歴書込処理部１０２に送信する（ステップＳ１０６）。貸出履歴書込処理部１０２は、一時貸出カード４０に書き込んだカードＩＤ、カード貸出日、本人ＩＤ、氏名、パスワードを、貸出カードテーブル１１２に書き込む（ステップＳ１０７）。
【００２５】
（購入・入金フェーズ）
図９は、カードを忘れたサービス利用者が、一時貸出カード４０を用いて電子マネー決済を利用する際の決済システム１の処理シーケンスである。一時貸出カード４０は、購買装置２０の残高読込・書込処理部２０１にカードＩＤ、有効期限を送信する（ステップＳ２０１）。残高読込・書込処理部２０１は、受信した有効期限が切れていたら処理を終了する（ステップＳ２０２）。残高読込・書込処理部２０１は、有効期限内である場合、貸出者ＩＤテーブル照合処理部２０２にカードＩＤを送信し、貸出者ＩＤテーブル照合処理部２０２は、貸出者ＩＤテーブル２１１を参照してカードＩＤの登録の有無を判断する（ステップＳ２０３）。一時貸出カード４０を利用した場合、貸出者ＩＤテーブル２１１にカードＩＤは登録されていないため、残高読込・書込処理部２０１は、カードは一時貸出カード４０であるとして、一時貸出カード４０から残高を読み込み決済処理部２０３に送信する（ステップＳ２０４）。
【００２６】
決済処理部２０３は、利用内容(購入、入金)に合わせて残高を計算して決算処理を行い、計算した残高、使用履歴、金額を、残高読込・書込処理部２０１に送信する（ステップＳ２０５）。残高読込・書込処理部２０１は、一時貸出カード４０内の残高を上書きする（ステップＳ２０６）。残高読込・書込処理部２０１は、残高上書きに成功したら、履歴送信処理部２０４に、使用年月日、使用時刻、カードＩＤ、使用履歴、金額を送信し、履歴送信処理部２０４は、決済処理の履歴情報として、サーバ装置１０のＩＤ照合処理部１０３に、使用年月日、使用時刻、カードＩＤ、使用履歴、金額を送信する（ステップＳ２０７）。
【００２７】
ＩＤ照合処理部１０３は、受信したカードＩＤが通常カードテーブル１１１に存在するかどうかを確認する（ステップＳ２０８）。一時貸出カード４０を利用した場合、通常カードテーブル１１１にカードＩＤは存在しないため、ＩＤ照合処理部１０３は、続いて貸出カードテーブル１１２にカードＩＤが存在するかどうかを確認する（ステップＳ２０９）。ＩＤ照合処理部１０３は、存在が確認できた場合、貸出カードテーブル１１２から本人ＩＤを読み出し、履歴書込処理部１０４に、カードＩＤ、使用年月日、使用時刻、本人ＩＤ、使用履歴、金額を送信する（ステップＳ２１０）。履歴書込処理部１０４は、カードＩＤ、使用年月日、使用時刻、本人ＩＤ、使用履歴、金額を、電子マネー使用履歴テーブル１１３に書き込む（ステップＳ２１１）。
【００２８】
（返却フェーズ）
図１０は、一時貸出カード４０を借りた利用者が、一時貸出カード４０の返却を行う際の決済システム１の処理シーケンスである。一時貸出カード４０は、貸出装置３０の残高情報書込・発行処理部３０２に、カードＩＤを送信する（ステップＳ３０１）。残高情報書込・発行処理部３０２は、カードＩＤを貸出履歴書込処理部１０２に送信する（ステップＳ３０２）。貸出履歴書込処理部１０２は、貸出カードテーブル１１２を参照し、カードＩＤに対応する本人ＩＤを読み取る（ステップＳ３０３）。貸出履歴書込処理部１０２は、本人ＩＤ、カードＩＤを残高計算・書込処理部１０５に送信し、残高計算・書込処理部１０５は、電子マネー使用履歴テーブル１１３を参照し、受信したカードＩＤの例えば当日分の使用履歴、金額から、その時点での残高を計算し、本人ＩＤをもとに、通常カードテーブル１１１の残高を上書きする（ステップＳ３０４）。残高計算・書込処理部１０５は、同時に、通常カード５０のカードＩＤを読み出し、通常カード５０のカードＩＤと、通常カードテーブル１１１に書き込んだ残高を貸出履歴書込処理部１０２に返し、貸出履歴書込処理部１０２は、カードＩＤと貸出カードテーブル１１２を照合し、該当する行に、カード返却日を書き込む（ステップＳ３０５）。貸出履歴書込処理部１０２は、書き込みが正常に行われた場合、通常カード５０のカードＩＤ、通常カードテーブル１１１に書き込んだ残高を、貸出装置３０の残高情報書込・発行処理部３０２に返す（ステップＳ３０６）。即ち、貸出装置３０は、利用者から一時貸出カード５０の返却申請がある場合、サーバ装置１０から利用者の通常カード５０の残高情報を取得することになる。
【００２９】
残高情報書込・発行処理部３０２は、全ての購買装置２０の貸出者ＩＤテーブル２１１を参照し、貸出履歴書込処理部１０２から送信された通常カード５０のカードＩＤに対応する行の残高を更新する（ステップＳ３０７）。残高情報書込・発行処理部３０２は、書き込みに成功したら、一時貸出カード４０内の、カードＩＤ、有効期限、残高を削除する（ステップＳ３０８）。
【００３０】
（通常カード５０を用いた購入・入金フェーズ）
図１１は、一時貸出カード４０を借りた利用者が後日通常カード５０を用いて電子マネー決済システムを用いる際の決済システムの処理シーケンスである。通常カード５０は、購買装置２０の残高読込・書込処理部２０１にカードＩＤを送信する（ステップＳ４０１）。残高読込・書込処理部２０１は、貸出者ＩＤテーブル照合処理部２０２にカードＩＤを送信し、貸出者ＩＤテーブル照合処理部２０２は、カードＩＤが貸出者ＩＤテーブル２１１に存在するかどうかを確認する（ステップＳ４０２）。通常カード５０を利用した場合、カードＩＤが貸出者ＩＤテーブル２１１に存在するので、貸出者ＩＤテーブル照合処理部２０２は、該当するカードＩＤの行の残高を読み出す（ステップＳ４０３）。貸出者ＩＤテーブル照合処理部２０２は、残高を確認し、残高欄がnullの場合は、一時貸出カード４０が未返却である旨を利用者に通知し、処理を終了する（ステップＳ４０４）。残高がｎｕｌｌではない場合、貸出者ＩＤテーブル照合処理部２０２は、残高を残高読込・書込処理部２０１に送信し、残高読込・書込処理部２０１は、通常カード５０の残高を貸出者ＩＤテーブル照合処理部２０２から送信された残高で上書きする（ステップＳ４０５）。
【００３１】
残高読込・書込処理部２０１は、上書きが成功したら、貸出者ＩＤテーブル照合処理部２０２にその旨を送信し、また、決済処理部２０３に残高を送信する。貸出者ＩＤテーブル照合処理部２０２は、貸出者ＩＤテーブル２１１から、カードＩＤが一致する行を削除する（ステップＳ４０６）。さらに、貸出者ＩＤテーブル照合処理部２０２は、削除したカードＩＤを貸出装置３０内の残高情報書込・発行処理部３０２に送信する（ステップＳ４０７）。残高情報書込・発行処理部３０２は、全ての購買装置２０内の貸出者ＩＤテーブル２１１から、貸出者ＩＤテーブル照合処理部２０２から送られたカードＩＤと一致する行を削除する（ステップＳ４０８）。
【００３２】
決済処理部２０３は、通常カード５０の残高を用いて、利用内容(購入、入金)に合わせて残高を計算する決済処理を行い、計算した残高、使用履歴、金額を残高読込・書込処理部２０１に送信する（ステップＳ４０９）。残高読込・書込処理部２０１は、通常カード５０の残高として、決済処理後の残高を書き込む（ステップＳ４１０）。書き込みに成功したら、残高読込・書込処理部２０１は、履歴送信処理部２０４に、使用年月日、使用時刻、カードＩＤ、使用履歴、金額を送信し、履歴送信処理部２０４は、サーバ装置１０のＩＤ照合処理部１０３に、使用年月日、使用時刻、カードＩＤ、使用履歴、金額を送信する（ステップＳ４１１）。
【００３３】
ＩＤ照合処理部１０３は、通常カードテーブル１１１にカードＩＤが存在するかを確認する（ステップＳ４１２）。通常カード５０を利用している場合、照合に成功するので、ＩＤ照合処理部１０３は、通常カードテーブル１１１から本人ＩＤを読み出す（ステップＳ４１３）。ＩＤ照合処理部１０３は、履歴書込み処理部１０４に、カードＩＤ、使用年月日、使用時刻、本人ＩＤ、使用履歴、金額を送信し、履歴書込処理部１０４は、接続線１４を通じて、カードＩＤ、使用年月日、使用時刻、本人ＩＤ、使用履歴、金額を、電子マネー使用履歴テーブル１１３に書き込む（ステップＳ４１４）。
【００３４】
（残高更新フェーズ）
決済システム１は、例えば毎日２４時に、その日の電子マネー使用履歴から各利用者の残高を計算し、通常カードテーブル１１１の残高を更新する。残高計算・書込処理部１０５は、全ての利用者の通常カード５０のカードＩＤを読み出し、それらのカードＩＤをもとに、電子マネー使用履歴テーブル１１３を参照し、各カードＩＤの、その日一日の使用履歴、金額から各利用者の残高を計算し、通常カードテーブル１１１の残高を更新する。
【００３５】
このように、本実施形態によれば、サーバ装置１０は、利用者から一時貸出カード４０の利用申請がある場合、利用者の通常カード５０の残高情報を貸出装置３０に提供し、貸出装置３０は、残高情報を一時貸出カード４０に書き込み発行する。これにより、決済の度にサーバから残高を取得することなく、一時貸出カード４０を用いた決済処理を即時に実行することができる。
【００３６】
また、サーバ装置１０は、利用者から一時貸出カード４０の利用申請がある場合、前記利用者の通常カード５０のカードＩＤ及び残高情報を貸出装置３０に提供し、貸出装置３０は、通常カード５０のカードＩＤを購買装置２０に登録し、購買装置２０は、カードによる決済がある場合、カードＩＤの登録の有無を判断し、カードＩＤが登録されていない場合、カードは一時貸出カードであるとして、カードから残高を読み出し決済処理を行い、決済処理の履歴情報をサーバ装置１０に送信する。これにより、一時貸出カード４０による即時決済を可能にすると共に、一時貸出カード４０の決済の履歴情報をサーバ装置１０にて管理することが可能となる。
【００３７】
貸出装置３０は、利用者から一時貸出カード４０の返却申請がある場合、サーバ装置１０から利用者の通常カード５０の残高情報を取得し、購買装置２０に登録された通常カードのカードＩＤに対応する残高情報を更新し、購買装置２０は、通常カード５０による決済がある場合、通常カード５０のカードＩＤに対応する残高情報を用いて決済処理を行い、その後、決済処理後の残高情報を通常カード５０に書き込む。これにより、一時貸出カード４０の利用後、通常カード５０により、正しい残高を反映した決済処理を行うことが可能になる。
【００３８】
上記の通り、本発明によれば、社員証や学生証などとしてＩＣカードが使用されている場面において、一時貸出カード利用時の、従来技術におけるカードＩＤを本人ＩＤに変換するオーバーヘッドを排除し、さらに一時貸出カード内に残高情報を書き込み、バッチ処理を行えるようにすることで、一時貸出カードを用いて、通常カードと同様にスムーズに、会社や学校内の食堂や売店、自動販売機において、電子マネー決済システムを利用できることを可能となる。また、本技術により、電子マネーシステムの残高以外のＩＣカード内に書き込まれた情報も、同様にサーバ内の情報と同期を取って運用することが可能となる。
【００３９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００４０】
また、図１において、説明の便宜上、各構成要素間の接続関係を線により図示しているが、かかる線は論理的な接続関係の一例を表すものに過ぎず、本発明の構成を限定するものではないことに留意されたい。
【符号の説明】
【００４１】
１  決済システム
１０  サーバ装置
２０  購買装置
３０  貸出装置
４０  一時貸出カード
５０  通常カード
１０１  本人確認処理部
１０２  貸出履歴書込処理部
１０３  ＩＤ照合処理部
１０４  履歴書込処理部
１０５  残高計算・書込処理部
１１１  通常カードテーブル
１１２  貸出カードテーブル
１１３  電子マネー使用履歴テーブル
２０１  残高読込・書込処理部
２０２  貸出者ＩＤテーブル照合処理部
２０３  決済処理部
２０４  履歴送信処理部
２１１  貸出者ＩＤテーブル
３０１  受付処理部
３０２  残高情報書込・発行処理部
【図１】
0005710350.tif 000002
【図２】
0005710350.tif 000003
【図３】
0005710350.tif 000004
【図４】
0005710350.tif 000005
【図５】
0005710350.tif 000006
【図６】
0005710350.tif 000007
【図７】
0005710350.tif 000008
【図８】
0005710350.tif 000009
【図９】
0005710350.tif 000010
【図１０】
0005710350.tif 000011
【図１１】
0005710350.tif 000012